(57)【要約】【課題】映像を鑑賞する際に折り曲げにより発生する皺や折れによる輝度ムラが目立ちにくく、背面からの光が表面に透過せず且つ映像光を良好に反射して映像を良好に鑑賞し得る極めて実用性に秀れた反射型スクリーンを提供するものである。【解決手段】折り曲げて持ち運び可能な状態にし得る反射型のスクリーンであって、該スクリーンには糸を織成して成る織物が形成され、この織物を構成する前記糸には、太さ１０μｍ以下の人工繊維製の糸が採用され、前記織物は、前記スクリーンの折り曲げの際に該糸が伸縮作用を発揮し且つ糸の密度が可及的に高くなる織成方法により織成された織物が採用されているものである。【選択図】        図１
2004302193.tif 000002
【特許請求の範囲】
【請求項１】
折り曲げて持ち運び可能な状態にし得る反射型のスクリーンであって、該スクリーンには糸を織成して成る織物が形成され、この織物を構成する前記糸には、太さ１０μｍ以下の人工繊維製の糸が採用され、前記織物は、前記スクリーンの折り曲げの際に該糸が伸縮作用を発揮し且つ糸の密度が可及的に高くなる織成方法により織成された織物が採用されていることを特徴とする反射型スクリーン。
【請求項２】
折り曲げて持ち運び可能な状態にし得る反射型のスクリーンであって、該スクリーンには糸を織成して成る織物が形成され、この織物を構成する前記糸は、太さ２μｍ以下の人工繊維製の糸が採用され、前記織物は、前記スクリーンの折り曲げの際に該糸が伸縮作用を発揮し且つ糸の密度が可及的に高くなる織成方法により織成された織物が採用されていることを特徴とする反射型スクリーン。
【請求項３】
請求項１，２いずれか１項に記載の反射型スクリーンにおいて、織成方法として、朱子織，平編，ゴム編，パール編，シングルトリコット編，シングルコード編若しくはシングルアトラス編が採用されていることを特徴とする反射型スクリーン。
【請求項４】
請求項１〜３いずれか１項に記載の反射型スクリーンにおいて、該スクリーンは全光線透過率が２０％以下となるように設定されていることを特徴とする反射型スクリーン。
【請求項５】
請求項１〜４いずれか１項に記載の反射型スクリーンにおいて、糸として染色処理が施された糸が採用されていることを特徴とする反射型スクリーン。
【請求項６】
請求項１〜５いずれか１項に記載の反射型スクリーンにおいて、糸として、捲縮処理の施された糸が採用されていることを特徴とする反射型スクリーン。
【請求項７】
請求項６記載の反射型スクリーンにおいて、糸として熱収縮性ポリエステル糸が採用されていることを特徴とする反射型スクリーン。
【発明の詳細な説明】
【０００１】
【発明の属する技術分野】
本発明は、反射型スクリーンに関するものである。
【０００２】
【従来の技術及び発明が解決しようとする課題】
近年、プロジェクターの小型化による携帯性の向上に伴い、反射型スクリーンも携帯性（小型化、軽量化）が重視されてきている。反射型スクリーンに携帯性を付与する場合、巻き取る構成と折り曲げる構成が考えられる。
【０００３】
ところで、一般的な反射型スクリーンは、糸を織成した織物層の表面に塗材がコーティングされた構成、例えばポリエステル生地にＰＶＣや白色塗料等をコーティングした構成が採用されている。
【０００４】
しかし、このような構成の反射型スクリーンは、巻き取る場合はともかく、折り曲げる場合には、前記コーティングにより柔軟性が低下しているため、該反射型スクリーンに皺や折れとして残り、この皺や折れによって凹凸となった部分が映像鑑賞の際に輝度ムラとして目立ってしまうという問題がある。
【０００５】
従って、コーティングしない織物層だけのスクリーンが考えられるが、この構成では、糸と糸との間から光が漏れやすいため透過率が高くなり、スクリーン背面からの光が表面に透過して染みのような模様を作ったり、反射率が低下してスクリーンに入射する映像光を良好に反射できなくなったりして、映像の鑑賞を良好に行うことができないという問題がある。
【０００６】
本発明は、上述のような現状に鑑みて成されたもので、映像を鑑賞する際に折り曲げにより発生する皺や折れによる輝度ムラが目立ちにくく、背面からの光が表面に透過せず且つ映像光を良好に反射して映像を良好に鑑賞し得る極めて実用性に秀れた反射型スクリーンを提供するものである。
【０００７】
【課題を解決するための手段】
本発明の要旨を説明する。
【０００８】
折り曲げて持ち運び可能な状態にし得る反射型のスクリーンであって、該スクリーンには糸を織成して成る織物が形成され、この織物を構成する前記糸には、太さ１０μｍ以下の人工繊維製の糸が採用され、前記織物は、前記スクリーンの折り曲げの際に該糸が伸縮作用を発揮し且つ糸の密度が可及的に高くなる織成方法により織成された織物が採用されていることを特徴とする反射型スクリーンに係るものである。
【０００９】
また、折り曲げて持ち運び可能な状態にし得る反射型のスクリーンであって、該スクリーンには糸を織成して成る織物が形成され、この織物を構成する前記糸は、太さ２μｍ以下の人工繊維製の糸が採用され、前記織物は、前記スクリーンの折り曲げの際に該糸が伸縮作用を発揮し且つ糸の密度が可及的に高くなる織成方法により織成された織物が採用されていることを特徴とする反射型スクリーンに係るものである。
【００１０】
また、請求項１，２いずれか１項に記載の反射型スクリーンにおいて、織成方法として、朱子織，平編，ゴム編，パール編，シングルトリコット編，シングルコード編若しくはシングルアトラス編が採用されていることを特徴とする反射型スクリーンに係るものである。
【００１１】
また、請求項１〜３いずれか１項に記載の反射型スクリーンにおいて、該スクリーンは全光線透過率が２０％以下となるように設定されていることを特徴とする反射型スクリーンに係るものである。
【００１２】
また、請求項１〜４いずれか１項に記載の反射型スクリーンにおいて、糸として染色処理が施された糸が採用されていることを特徴とする反射型スクリーンに係るものである。
【００１３】
また、請求項１〜５いずれか１項に記載の反射型スクリーンにおいて、糸として、捲縮処理の施された糸が採用されていることを特徴とする反射型スクリーンに係るものである。
【００１４】
また、請求項６記載の反射型スクリーンにおいて、糸として熱収縮性ポリエステル糸が採用されていることを特徴とする反射型スクリーンに係るものである。
【００１５】
【発明の作用及び効果】
スクリーンを構成する織物の糸は、その太さが１０μｍ以下と極めて細く、また、織物は、スクリーンの折り曲げの際に伸縮作用を発揮する織成方法により織成された織物が採用されているから、糸の径が小さく折り曲げやすいだけでなく、この伸縮作用により容易に折り曲げることができ、この織物により構成されたスクリーンは柔軟性に富み、容易に折り曲げて持ち運びし得る状態とすることができる。
【００１６】
また、この伸縮作用による柔軟性故に折り曲げた状態から反射型スクリーンとして使用する際に広げると、該伸縮作用により皺や折れが可及的に消失し、スクリーン上において前記皺や折れが目立ちにくく、これら皺や折れによる光学特性の低下（輝度ムラが）が可及的に阻止される。
【００１７】
しかも、前記糸は織物の糸の密度を可及的に高くする織成方法で織成されているから、糸同志が重なり合う部分が増加して光が透過しにくくなり、スクリーンの透過率を可及的に低くすることができるため、スクリーンの背面からの光が透過することが阻止できると共に、このスクリーンに入射する映像光を良好に反射して、良好な映像を鑑賞できることになる。
【００１８】
従って、本発明は、映像を鑑賞する際に折り曲げにより発生する皺や折れによる輝度ムラが目立ちにくく、背面からの光が表面に透過せず且つ映像光を良好に反射して映像を良好に鑑賞し得る極めて実用性に秀れた反射型スクリーンとなる。
【００１９】
【発明の実施の形態】
本発明の一実施例を以下に説明する。
【００２０】
本実施例は、折り曲げて持ち運び可能な状態にし得る反射型のスクリーンであって、該スクリーンには糸を織成して成る織物が形成され、この織物を構成する前記糸には、太さ１０μｍ以下の人工繊維製の糸が採用され、前記織物は、前記スクリーンの折り曲げの際に該糸が伸縮作用を発揮し且つ糸の密度が可及的に高くなる織成方法により織成された織物が採用されているものである。
【００２１】
具体的に説明すると、本実施例はＰＶＣや白色塗料等の塗材を塗布しない織物をスクリーンとするものである。これは塗材を塗布することによる織物の柔軟性の低下を防止するためである。
【００２２】
織物を織成する糸は、ポリエステル製、中でも熱収縮性ポリエステル製のものが採用されている。
【００２３】
この糸の太さは１０μｍ以下、具体的には約２μｍに設定されている。これは、糸が細い方が太い場合より織物を織成する糸の密度を高くでき、スクリーンを折り曲げた際に織物を織成する糸間に間隙が生じることを阻止できるためであり、実験の結果１０μｍ以下、望ましくは２μｍ程度であることを確認した。
【００２４】
また、本実施例においては、この熱収縮性ポリエステル製の糸に熱処理を施すことでこの繊維を捲縮させて、織物を織成する糸同志を絡め合わせて糸の密度をより一層高めている。
【００２５】
また、この糸にはコントラスト及び色再現性を向上させる染色処理が施されている。
【００２６】
更に、スクリーンの表面に防汚性を付与し、塵埃付着防止処理を行うことで屋外・屋内どちらで使用する場合にも良好な映像を鑑賞できるように構成されている。
【００２７】
また、この織物は、本実施例においては図１に図示したような織成方法である平編で織成されているが、平編と同様に織物を織成する糸の密度が可及的に高くなる編み方で織成しても良く、例えば、織物の世界では公知である図２に図示したような朱手織（サテン織）やゴム編，パール編，シングルトリコット編，シングルコード編，シングルアトラス編を採用しても良い。
【００２８】
尚、平織や綾織（斜文織）は前述の織成方法に比較してそれほど織物を織成する糸の密度を高くすることができないため好ましくない。
【００２９】
更に、本実施例は、前記スクリーンの全光線透過率が２０％以下となるように設定している。この２０％とは鑑賞する人が良好に映像を鑑賞できるボーダーラインであって、スクリーン製作時の目安となる値である。
【００３０】
尚、本実施例においては、前記織物に何ら塗材をコーティングしない構成であるが、コーティングしても十分な柔軟性を確保できる構成であったり、前記透過率が２０％以上であったりする場合には、前記織物にＰＶＣや白色塗料等をコーティングしても良い。
【００３１】
また、前記スクリーンは、屏風折りにして持ち運びできる大きさにまでコンパクトにできる構成である。この屏風折り以外にも、巻き取ったり、四つ折りにしたりして持ち運びできる大きさにまでコンパクトにできるように構成しても良い。
【００３２】
本実施例は上述のように構成したから、スクリーンを構成する織物の糸は、その太さが２μｍ程度と極めて細く、また、織物は、スクリーンの折り曲げの際に伸縮作用を発揮する織成方法により織成された織物が採用されているから、糸の径が小さく折り曲げやすいだけでなく、この伸縮作用により容易に折り曲げることができ、この織物により構成されたスクリーンは柔軟性に富み、容易に折り曲げて持ち運びし得る状態とすることができる。
【００３３】
また、この伸縮作用による柔軟性故に折り曲げた状態から反射型スクリーンとして使用する際に広げると、該伸縮作用により皺や折れが可及的に消失し、スクリーン上において前記皺や折れが目立ちにくく、これら皺や折れによる光学特性の低下（輝度ムラが）が可及的に阻止される。
【００３４】
しかも、前記糸は織物の糸の密度を可及的に高くする織成方法で織成されているから、糸同志が重なり合う部分が増加して光が透過しにくくなり、スクリーンの透過率を可及的に低くすることができるため、スクリーンの背面からの光が透過することが阻止できると共に、このスクリーンに入射する映像光を良好に反射して、良好な映像を鑑賞できることになる。
【００３５】
従って、本実施例は、映像を鑑賞する際に折り曲げにより発生する皺や折れによる輝度ムラが目立ちにくく、背面からの光が表面に透過せず且つ映像光を良好に反射して良好な映像を鑑賞し得る極めて実用性に秀れたものとなる。
【００３６】
図３は、本実施例と他の反射型スクリーンとの性能を比較した表である。
【００３７】
折り曲げた際に付いた皺や折れが、広げて（テンションをかけて）スクリーンとして使用するに際しどうなるか比較したところ、実施例においては皺がなくなることが確認できたが、比較例１と比較例２においては皺はなくならなかった。
【００３８】
これは、比較例１は織物に施したＰＶＣコーティングにより、このコーティングを施さなかった実施例よりも柔軟性に劣っていたためであると考えられ、比較例２は糸に捲縮処理を施さなかったため、捲縮処理を施した実施例より柔軟性に劣っていたためであると考えられる。
【００３９】
また、ゲインは、実施例，比較例１，比較例２の順に１．０，１．０，０．８といずれも同程度で良好な値であり、同様に１／３角も６７．６，７２．０，６９．８と良好な値を示している。
【００４０】
更に、透過率は、実施例，比較例１，比較例２の順に１７．１，０，３１．６であり、ＰＶＣコーティングを施した比較例１は当然であるが、実施例においても基準値の２０％をクリアしている。これは、比較例２が綾織で織成されているのに対して、実施例は織物層の糸の密度を可及的に大きくできる平編で織成されているためであると考えられる。
【００４１】
以上より、実施例は折り曲げにより生じる皺が使用時に目立たないだけでなく、従来のスクリーン（比較例１）と比較して遜色の無い光学特性を発揮するものであることを確認できた。
【００４２】
【図面の簡単な説明】
【図１】本実施例の拡大説明平面図である。
【図２】本実施例の拡大説明平面図である。
【図３】本実施例と比較例の性能表である。
【図１】
2004302193.tif 000003
【図２】
2004302193.tif 000004
【図３】
2004302193.tif 000005